(57)【要約】【課題】盗難防止効果をより高めることが可能なプロジェクタを提供すること。【解決手段】プロジェクタ本体に対して着脱可能な受信ユニット２００が、リモコン３００からの操作情報を受信する受信部２２０と、プロジェクタ本体から固有識別情報を入力する入力部２１０と、識別データ２３２を記憶する記憶部２３０と、固有識別情報と、識別データ２３２に基づき、使用可能なプロジェクタかどうかを判定する判定部２４０と、使用可能であると判定された場合、プロジェクタ本体を起動する制御情報をプロジェクタ本体に出力するとともに、操作情報を受信部２２０に受信させて操作情報をプロジェクタ本体に出力する制御部２３０とを含んで構成され、プロジェクタ本体が、受信ユニット２００とプロジェクタ本体との着脱を検出する検出部１３０と、制御情報に基づき、プロジェクタ本体の起動を制御する起動制御部１２０とを含んで構成される。【選択図】図２
2008064876.tif 000002
【特許請求の範囲】
【請求項１】
プロジェクタ本体に対して着脱可能な受信ユニットを有するプロジェクタであって、
前記受信ユニットは、
リモートコントローラからの操作情報を受信する受信部と、
前記プロジェクタ本体に接続された状態で、前記プロジェクタ本体から当該プロジェクタ本体の固有識別情報を入力する入力部と、
少なくとも１つの使用可能なプロジェクタ本体の前記固有識別情報を示す識別データを記憶する記憶部と、
前記入力部によって入力された前記固有識別情報と、前記識別データとに基づき、使用可能なプロジェクタかどうかを判定する判定部と、
使用可能であると判定された場合、前記プロジェクタ本体を起動する制御情報を前記プロジェクタ本体に出力するとともに、前記操作情報を前記受信部に受信させて前記操作情報を前記プロジェクタ本体に出力する制御部と、
を含み、
前記プロジェクタ本体は、
前記受信ユニットと前記プロジェクタ本体との着脱を検出するとともに、前記受信ユニットに接続された状態で、前記固有識別情報を出力し、前記制御情報を入力する検出部と、
前記制御情報に基づき、前記プロジェクタ本体の起動を制御する起動制御部と、
を含み、
操作パネルおよび電源ボタンを有さず、前記使用可能である場合に前記検出部によって入力される前記操作情報に基づいて操作されることを特徴とするプロジェクタ。
【請求項２】
プロジェクタ本体に対して着脱可能な受信ユニットを有するプロジェクタであって、
前記受信ユニットは、
リモートコントローラからの操作情報を受信する受信部と、
前記プロジェクタ本体に接続された状態で、前記プロジェクタ本体から前記受信部の受信可否を示す受信制御情報を入力する入力部と、
前記プロジェクタ本体に接続された状態で、当該受信ユニットの固有識別情報を前記プロジェクタ本体に出力するとともに、前記受信制御情報が受信許可を示す場合、前記操作情報を前記受信部に受信させて前記操作情報を前記プロジェクタ本体に出力する制御部と、
を含み、
前記プロジェクタ本体は、
少なくとも１つの使用可能な受信ユニットの前記固有識別情報を示す識別データを記憶する記憶部と、
当該プロジェクタ本体の起動を制御する起動制御部と、
前記受信ユニットと前記プロジェクタ本体との着脱を検出するとともに、前記受信ユニットに接続された状態で、前記受信制御情報を出力するとともに、前記固有識別情報を入力する検出部と、
前記検出部によって入力された前記固有識別情報と、前記識別データとに基づき、使用可能な受信ユニットかどうかを判定するとともに、使用可能である場合に受信許可を示す前記受信制御情報を生成するとともに前記起動制御部に当該プロジェクタ本体を起動させ、使用可能ではない場合に受信拒否を示す前記受信制御情報を生成するとともに、前記起動制御部に当該プロジェクタ本体を起動させない判定部と、
を含み、
操作パネルおよび電源ボタンを有さず、前記使用可能である場合に前記検出部によって入力される前記操作情報に基づいて操作されることを特徴とするプロジェクタ。
【請求項３】
請求項１、２のいずれかに記載のプロジェクタにおいて、
前記起動制御部は、前記受信ユニットが前記プロジェクタ本体から離脱した際に、前記プロジェクタ本体の起動を終了することを特徴とするプロジェクタ。
【発明の詳細な説明】
【技術分野】
【０００１】
本発明は、盗難防止機能を有するプロジェクタに関する。
【背景技術】
【０００２】
従来、プロジェクタは重く大きかったため持ち運びは困難であったが、近年、プロジェクタは小型化軽量化されて持ち運びが容易になっている。しかし、小型化軽量化されることにより、プロジェクタが盗難される事態が深刻になっている。
【０００３】
盗難防止および非正規ユーザーによる不正使用の防止のため、起動時にパスワードの入力を要求するプロジェクタが提案されている。しかし、パスワードの入力は煩雑である。
【０００４】
このような問題を解決するため、特開２００５−３５１９９６号公報では、ＵＳＢキーを用いて認証を行い、画像表示装置の起動を制御することが記載されている。
【特許文献１】特開２００５−３５１９９６号公報
【発明の開示】
【発明が解決しようとする課題】
【０００５】
しかし、従来の盗難防止手法は、ユーザーがプロジェクタの使用を試みた時に初めて使用制限がされていることがわかるものであり、盗難防止効果が不十分であった。
【０００６】
本発明の目的は、盗難防止効果をより高めることが可能なプロジェクタを提供することである。
【課題を解決するための手段】
【０００７】
上記課題を解決するため、本発明に係るプロジェクタは、プロジェクタ本体に対して着脱可能な受信ユニットを有するプロジェクタであって、
前記受信ユニットは、
リモートコントローラからの操作情報を受信する受信部と、
前記プロジェクタ本体に接続された状態で、前記プロジェクタ本体から当該プロジェクタ本体の固有識別情報を入力する入力部と、
少なくとも１つの使用可能なプロジェクタ本体の前記固有識別情報を示す識別データを記憶する記憶部と、
前記入力部によって入力された前記固有識別情報と、前記識別データとに基づき、使用可能なプロジェクタかどうかを判定する判定部と、
使用可能であると判定された場合、前記プロジェクタ本体を起動する制御情報を前記プロジェクタ本体に出力するとともに、前記操作情報を前記受信部に受信させて前記操作情報を前記プロジェクタ本体に出力する制御部と、
を含み、
前記プロジェクタ本体は、
前記受信ユニットと前記プロジェクタ本体との着脱を検出するとともに、前記受信ユニットに接続された状態で、前記固有識別情報を出力し、前記制御情報を入力する検出部と、
前記制御情報に基づき、前記プロジェクタ本体の起動を制御する起動制御部と、
を含み、
操作パネルおよび電源ボタンを有さず、前記使用可能である場合に前記検出部によって入力される前記操作情報に基づいて操作されることを特徴とする。
【０００８】
本発明によれば、プロジェクタは、操作パネルおよび電源ボタンを有さないため、外観において通常のプロジェクタとは異なり、プロジェクタがそのままでは使用できないことを認識させやすいため、盗難防止効果をより高めることができる。
【０００９】
また、本発明によれば、プロジェクタ本体と適合する受信ユニットでなければ、プロジェクタの起動およびリモートコントローラの操作情報の受信を行えないため、盗難防止効果をより高めることができる。
【００１０】
また、本発明によれば、ユーザーは、レンズユニットや電源ユニットのような大型の部分ではなく、小型の受信ユニットを着脱してプロジェクタの使用可否を制御することができるため、取り外し、持ち運びも容易である。
【００１１】
また、本発明によれば、ユーザーは、受信ユニット側に複数のプロジェクタ本体の固有識別情報を登録することにより、１つの受信ユニットで複数のプロジェクタを使用することができる。
【００１２】
また、本発明に係るプロジェクタは、プロジェクタ本体に対して着脱可能な受信ユニットを有するプロジェクタであって、
前記受信ユニットは、
リモートコントローラからの操作情報を受信する受信部と、
前記プロジェクタ本体に接続された状態で、前記プロジェクタ本体から前記受信部の受信可否を示す受信制御情報を入力する入力部と、
前記プロジェクタ本体に接続された状態で、当該受信ユニットの固有識別情報を前記プロジェクタ本体に出力するとともに、前記受信制御情報が受信許可を示す場合、前記操作情報を前記受信部に受信させて前記操作情報を前記プロジェクタ本体に出力する制御部と、
を含み、
前記プロジェクタ本体は、
少なくとも１つの使用可能な受信ユニットの前記固有識別情報を示す識別データを記憶する記憶部と、
当該プロジェクタ本体の起動を制御する起動制御部と、
前記受信ユニットと前記プロジェクタ本体との着脱を検出するとともに、前記受信ユニットに接続された状態で、前記受信制御情報を出力するとともに、前記固有識別情報を入力する検出部と、
前記検出部によって入力された前記固有識別情報と、前記識別データとに基づき、使用可能な受信ユニットかどうかを判定するとともに、使用可能である場合に受信許可を示す前記受信制御情報を生成するとともに前記起動制御部に当該プロジェクタ本体を起動させ、使用可能ではない場合に受信拒否を示す前記受信制御情報を生成するとともに、前記起動制御部に当該プロジェクタ本体を起動させない判定部と、
を含み、
操作パネルおよび電源ボタンを有さず、前記使用可能である場合に前記検出部によって入力される前記操作情報に基づいて操作されることを特徴とする。
【００１３】
本発明によれば、プロジェクタは、操作パネルおよび電源ボタンを有さないため、外観において通常のプロジェクタとは異なり、プロジェクタがそのままでは使用できないことを認識させやすいため、盗難防止効果をより高めることができる。
【００１４】
また、本発明によれば、プロジェクタ本体と適合する受信ユニットでなければ、プロジェクタの起動およびリモートコントローラの操作情報の受信を行えないため、盗難防止効果をより高めることができる。
【００１５】
また、本発明によれば、ユーザーは、レンズユニットや電源ユニットのような大型の部分ではなく、小型の受信ユニットを着脱してプロジェクタの使用可否を制御することができるため、取り外し、持ち運びも容易である。
【００１６】
また、本発明によれば、ユーザーは、プロジェクタ本体側に複数の受信ユニットの固有識別情報を登録することにより、１つのプロジェクタ本体で複数の受信ユニットを使用することができる。
【００１７】
また、前記起動制御部は、前記受信ユニットが前記プロジェクタ本体から離脱した際に、前記プロジェクタ本体の起動を終了してもよい。
【００１８】
これによれば、プロジェクタは、電源ボタンを有さなくても、受信ユニットが取り外されることにより、起動を終了することができるため、盗難防止効果をより高めることができる。
【発明を実施するための最良の形態】
【００１９】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２０】
（第１の実施例）
（システム全体の説明）
図１は、本実施例におけるプロジェクタ１００の外観図である。
【００２１】
本実施例におけるプロジェクタ１００は、リモコン（リモートコントローラ）３００用の小型の受信ユニット２００がプロジェクタ本体と着脱可能に形成されている。また、プロジェクタ１００には操作パネルおよび電源ボタンが設けられていない。プロジェクタ１００に受信ユニット２００が差し込まれて正しく認証されることによってプロジェクタ１００が起動し、受信ユニット２００がプロジェクタ１００から抜き取られることによってプロジェクタ１００の起動が終了する。また、リモコン３００からの操作情報に基づいてプロジェクタ１００は動作する。
【００２２】
このように、プロジェクタ１００に操作パネル等を設けないことにより、プロジェクタ１００の外観は通常のプロジェクタの外観とは異なるため、盗難防止効果をより高めることができる。
【００２３】
次に、このような機能を有するプロジェクタ１００の機能ブロックについて説明する。
【００２４】
図２は、本実施例におけるプロジェクタ１００の機能ブロック図である。
【００２５】
プロジェクタ１００（プロジェクタ本体）は、プロジェクタ１００内の各部に電力を供給する電源１１０と、電源１１０の起動を制御する起動制御部１２０と、受信ユニット２００の着脱を検出する検出部１３０と、固有識別データ１４２等を記憶する記憶部１４０と、ＰＣ（Personal Computer）等から画像信号を入力する信号入力部１５０と、画像信号を処理する画像処理部１６０と、画像処理部１６０からの画像信号に基づき、画像を投写する投写部１９０とを含んで構成されている。なお、固有識別データ１４２は、プロジェクタ１００を識別するための固有識別情報を示すデータである。
【００２６】
また、受信ユニット２００は、プロジェクタ１００に挿入された際にプロジェクタ１００から固有識別情報を入力する入力部２１０と、リモコン３００からの操作情報を受信する受信部２２０と、当該操作情報をプロジェクタ１００に出力する制御部２３０と、識別データ２５２、パスワードデータ２５４等を記憶する記憶部２５０と、認証等を行う判定部２４０とを含んで構成されている。なお、識別データ２５２は、少なくとも１つの使用可能なプロジェクタの固有識別情報を示すデータであり、パスワードデータ２５４は、識別データ２５２の更新可否を判定するためのパスワードを示すデータである。
【００２７】
また、リモコン３００は、ユーザーがプロジェクタ１００を操作するための操作部３１０と、操作部３１０からの操作情報を受信ユニット２００へ向け送信する送信部３２０とを含んで構成されている。
【００２８】
なお、これらの各部の機能を実装するためのハードウェアとしては、例えば、以下のものを採用してもよい。
【００２９】
例えば、起動制御部１２０としてはＣＰＵ等、検出部１３０としてはスロット、スイッチ、ＣＰＵ等、記憶部１４０としてはＲＡＭ、ＲＯＭ等、信号入力部１５０としては、入力端子等、画像処理部１６０としては画像処理回路等、投写部１９０としてはランプ、液晶パネル、レンズ等を採用してもよい。また、入力部２１０としては入力ポート等、受信部２２０としては赤外受光ユニット、デコーダ等、制御部２３０としてはＣＰＵ、出力ポート等、判定部２４０としてはＣＰＵ等、記憶部２５０としてはＲＡＭ等を採用してもよい。なお、リモコン３００は、一般的なリモコンをそのまま採用可能である。
【００３０】
（処理の流れについての説明）
次に、これらの各部を用いた処理の流れについて説明する。
【００３１】
図３は、本実施例における受信ユニット２００への識別データ２５２の登録および削除の手順を示すフローチャートである。
【００３２】
受信ユニット２００がプロジェクタ１００に挿入された状態で、ユーザーは、リモコン３００を用いてプロジェクタ１００の固有識別データ１４２を受信ユニット２００に登録する作業を行う。
【００３３】
ユーザーは、リモコン３００のボタン（操作部３１０）を操作してパスワードを入力する（ステップＳ１）。送信部３２０は、当該パスワードを示す操作情報を受信ユニット２００へ向け送信する。
【００３４】
受信部２２０は、当該操作情報を受信し、判定部２４０は、当該操作情報とパスワードデータ２５４に基づき、パスワードが正しいかどうかを判定する（ステップＳ２）。
【００３５】
パスワードが正しい場合、制御部２３０は、固有識別情報の登録または削除を行わせるための制御情報を生成し、検出部１３０は、当該制御情報に基づき、画像処理部１６０に設定画像を表示させるための画像情報を生成させる。
【００３６】
投写部１９０は、当該画像情報に基づき、固有識別情報の登録または削除を行わせるための設定画像を投写し、さらに、ユーザーの選択に応じて登録を行わせるための設定画像または削除を行わせるための設定画像を投写する。
【００３７】
図４は、本実施例における登録時の設定画像４００の一例を示す図である。また、図５は、本実施例における削除時の設定画像４０２の一例を示す図である。
【００３８】
例えば、識別データ２５２に新たな固有識別情報を登録する場合、投写部１９０は、例えば、図４に示す設定画像４００を投写する。設定画像４００は、固有識別情報を入力するための画像、当該固有識別情報を識別データ２５２に登録することを示す文字列画像、登録することを示す登録ボタン画像、登録をキャンセルすることを示すキャンセルボタン画像を含む。ユーザーは、リモコン３００を操作することにより、固有識別情報を手動または自動で入力し、登録ボタン画像を選択し、リモコン３００の「決定」ボタンを押すことにより、固有識別情報を受信ユニット２００に登録できる。
【００３９】
また、例えば、識別データ２５２から固有識別情報を削除する場合、投写部１９０は、例えば、図５に示す設定画像４０２を投写する。設定画像４０２は、識別データ２５２に登録された固有識別情報の一覧を示す一覧画像、当該一覧画像において削除対象の固有識別情報を選択するためのカーソル画像、削除対象の固有識別情報を受信ユニットから削除することを示す削除ボタン画像、削除をキャンセルすることを示すキャンセルボタン画像を含む。ユーザーは、リモコン３００を操作することにより、削除対象の固有識別情報を選択し、削除ボタン画像を選択し、リモコン３００の「決定」ボタンを押すことにより、当該固有識別情報を受信ユニット２００から削除できる。
【００４０】
より具体的には、ユーザーは、リモコン３００を操作して固有識別情報の登録等を行うための設定情報を入力する（ステップＳ２）。判定部２４０は、リモコン３００からの操作情報に基づき、固有識別情報の登録を選択したのかどうかを判定し（ステップＳ４）、登録ではない場合は固有識別情報の削除を選択したのかどうかを判定する（ステップＳ６）。
【００４１】
例えば、固有識別情報の登録が選択された場合、判定部２４０は、リモコン３００からの操作情報に含まれる新たな固有識別情報を識別データ２５２に登録する（ステップＳ５）。
【００４２】
また、例えば、固有識別情報の削除が選択された場合、判定部２４０は、リモコン３００からの操作情報に含まれる削除対象の固有識別情報を識別データ２５２から削除する（ステップＳ７）。
【００４３】
以上の手順により、ユーザーは、受信ユニット２００に新たな固有識別情報を登録したり、不要な固有識別情報を削除したりすることができる。もちろん、プロジェクタ１００は、識別データ２５２に登録済みの固有識別情報の一部をユーザーに修正させてもよい。
【００４４】
次に、プロジェクタ本体における起動制御等の処理の流れについて説明する。
【００４５】
図６は、本実施例におけるプロジェクタ本体における処理の流れを示すフローチャートである。
【００４６】
検出部１３０は、スロットに受信ユニット２００が挿入されたかどうかを判定する（ステップＳ１１）。
【００４７】
受信ユニット２００が挿入された場合、検出部１３０は、固有識別データ１４２に基づく固有識別情報を受信ユニット２００に出力する（ステップＳ１２）。
【００４８】
そして、検出部１３０は、受信ユニット２００から制御情報が入力されるかどうかを判定し（ステップＳ１３）、制御情報が入力されない場合は受信ユニット２００が取り外されたかどうかを判定する（ステップＳ１４）。
【００４９】
受信ユニット２００が取り外された場合、検出部１３０は、再び受信ユニット挿入の判定（ステップＳ１１）からの処理を続行する。
【００５０】
制御情報が入力された場合、検出部１３０は、当該制御情報を起動制御部１２０に出力する。起動制御部１２０は、当該制御情報に基づき、電源１１０をＯＮにする（ステップＳ１５）。これにより、投写部１９０等の各部に電力が供給され、プロジェクタ１００は起動する（ステップＳ１６）。
【００５１】
検出部１３０は、受信ユニット２００が取り外されたかどうかを判定する（ステップＳ１７）。
【００５２】
受信ユニット２００が取り外されていない場合、検出部１３０は、リモコン３００から受信ユニット２００を介して入力される操作情報を入力し、プロジェクタ１００は、当該操作情報に基づいて映像入力ソースの切り替え、表示モードの設定等の種々の処理を実行する（ステップＳ１８）。
【００５３】
なお、ステップＳ１７、Ｓ１８の処理は受信ユニット２００が取り外されるまで繰り返し実行される。
【００５４】
受信ユニット２００が取り外された場合、プロジェクタ１００は、投写の終了、ランプの消灯等の終了処理を実行し（ステップＳ１９）、起動制御部１２０は、電源１１０をＯＦＦにする（ステップＳ２０）。
【００５５】
次に、受信ユニット２００における処理の流れについて説明する。
【００５６】
図７は、本実施例における受信ユニット２００における処理の流れを示すフローチャートである。
【００５７】
受信ユニット２００がプロジェクタ１００に挿入された状態で、判定部２４０は、入力部２１０によってプロジェクタ１００の固有識別情報が入力されたかどうかを判定する（ステップＳ２１）。
【００５８】
固有識別情報が入力された場合、判定部２４０は、当該固有識別情報が識別データ２５２に含まれているかどうかを判定することによって認証処理を実行し、認証が成功したかどうかを判定する（ステップＳ２２）。
【００５９】
認証に失敗した場合、制御部２３０は、リモコン３００からの操作情報を受信できないように受信部２２０を設定する（ステップＳ２３）。具体的には、例えば、制御部２３０は、受信部２２０の受信機能をＯＦＦにしたり、受信部２２０のデコード処理を実行させないようにしたりする。また、認証に失敗した場合、制御部２３０は、プロジェクタ１００を起動するための制御情報をプロジェクタ１００に出力しない。
【００６０】
これにより、プロジェクタ１００が起動しない上、ユーザーがリモコン３００を使って操作しようとしても操作が受け付けられない。具体的には、例えば、プロジェクタ１００の盗難者が受信ユニット２００とは別の受信ユニットを使ってプロジェクタ１００を起動させようとしても起動しない。
【００６１】
一方、認証に成功した場合、制御部２３０は、プロジェクタ１００を起動するための制御情報をプロジェクタ１００に出力する（ステップＳ２４）。
【００６２】
そして、制御部２３０は、受信部２２０をリモコン３００からの操作情報を受信できるように設定する（ステップＳ２５）。具体的には、例えば、制御部２３０は、受信部２２０の受信機能をＯＮにしたり、受信部２２０のデコード処理を実行させたりする。
【００６３】
また、受信部２２０は、リモコン３００からの操作情報を受信し（ステップＳ２６）、当該操作情報をプロジェクタ１００で処理可能な形式にデコードする（ステップＳ２７）。
【００６４】
制御部２３０は、デコード後の操作情報をプロジェクタ１００に出力する（ステップＳ２８）。
【００６５】
以上の手順により、プロジェクタ１００は、受信ユニット２００が挿入されて認証が成功した場合のみリモコン３００からの操作情報に基づいて操作される。一方、受信ユニット２００が挿入されなかったり、受信ユニット２００での認証が失敗したりした場合、プロジェクタ１００は起動しないし、操作不能のままになる。
【００６６】
以上のように、本実施例によれば、プロジェクタ１００は、操作パネルおよび電源ボタンを有さないため、外観において通常のプロジェクタとは異なり、プロジェクタ１００がそのままでは使用できないことを認識させやすいため、盗難防止効果をより高めることができる。
【００６７】
また、本実施例によれば、プロジェクタ本体と適合する受信ユニット２００でなければ、プロジェクタ１００の起動およびリモコン３００の操作情報の受信を行えないため、盗難防止効果をより高めることができる。
【００６８】
また、本実施例によれば、ユーザーは、レンズユニットや電源ユニットのような大型の部分ではなく、小型の受信ユニット２００を着脱してプロジェクタ１００の使用可否を制御することができるため、取り外し、持ち運びも容易である。
【００６９】
また、本実施例によれば、ユーザーは、受信ユニット側に複数のプロジェクタ本体の固有識別情報を登録することにより、１つの受信ユニット２００で複数のプロジェクタ１００を使用することができる。
【００７０】
（第２の実施例）
第１の実施例では、受信ユニット２００が使用可否の判定を行ったが、第２の実施例として、プロジェクタ本体が使用可否の判定を行う実施例について説明する。
【００７１】
図８は、本実施例における他のプロジェクタ１０２の機能ブロック図である。
【００７２】
プロジェクタ１０２は、プロジェクタ１００と同様の構成であるが、判定部２４０と同様の機能を有する判定部１７０を有し、記憶部１４１が固有識別データ１４２ではなく、識別データ１４３、パスワードデータ１４４等を記憶し、検出部１３２が受信制御情報を出力するとともに、固有識別情報を入力する点でプロジェクタ１００と相違する。なお、識別データ１４３は、少なくとも１つの使用可能な受信ユニット２０２を示すデータであり、パスワードデータ１４４は、使用可能な受信ユニット２０２の固有識別情報の登録、削除等を行うためのパスワードを示すデータである。
【００７３】
また、判定部１７０は、検出部１３２によって入力された固有識別情報と、識別データ１４３に基づき、使用可能な受信ユニット２０２かどうかを判定するとともに、使用可能である場合に受信許可を示す受信制御情報を生成するとともに起動制御部１２０にプロジェクタ１０２を起動させ、使用可能ではない場合に受信拒否を示す受信制御情報を生成するとともに起動制御部１２０にプロジェクタ１０２を起動させない機能を有する。
【００７４】
また、受信ユニット２０２は、受信ユニット２００と同様の構成であるが、入力部２１２がプロジェクタ１０２から受信部２２０の受信可否を示す受信制御情報を入力し、制御部２３２がプロジェクタ１０２に接続された状態で、当該受信ユニットの固有識別情報をプロジェクタ１０２に出力するとともに、受信制御情報が受信許可を示す場合、操作情報を受信部２２０に受信させて当該操作情報をプロジェクタ１０２に出力し、記憶部２５１が受信ユニット２０２の固有識別情報を示す固有識別データ２５３を記憶している点で受信ユニット２００と相違する。
【００７５】
なお、ハードウェア構成は第１の実施例と同様であり、例えば、判定部１７０としては、ＣＰＵ等を用いてもよい。
【００７６】
第２の実施例ではプロジェクタ１０２が認証処理等を実行する。検出部１３２は、受信ユニット２０２がスロットに挿入されたことを検出し、受信ユニット２０２から固有識別情報を入力する。
【００７７】
判定部１７０は、当該固有識別情報が識別データ１４３に記憶されているかどうかを判定する。なお、識別データ１４３の登録、削除等は、判定部１７０が、プロジェクタ１０２に入力されたパスワードとパスワードデータ１４４とが一致するかどうかを判定し、一致する場合に識別データ１４３の登録、削除等を許可してもよい。
【００７８】
当該固有識別情報が識別データ１４３に記憶されている場合、判定部１７０は、起動制御部１２０に電源１１０をＯＮにさせ、プロジェクタ１０２を起動する。そして、判定部１７０は、受信許可を示す受信制御情報を生成し、検出部１３２は、当該受信制御情報を受信ユニット２０２に出力する。
【００７９】
入力部２１２は、受信制御情報を入力し、制御部２３２は、当該受信制御情報が受信許可を示す場合、リモコン３００からの操作情報を受信できるように受信部２２０を制御する。
【００８０】
そして、受信部２２０がリモコン３００からの操作情報を受信した場合、制御部２３２は、受信部２２０によってデコードされた後の操作情報をプロジェクタ１０２に出力する。
【００８１】
検出部１３２は、当該操作情報を入力し、プロジェクタ１０２は、当該操作情報に基づいて映像入力ソースの切り替え、表示モードの設定等の種々の処理を実行する。
【００８２】
なお、判定部１７０は、受信ユニット２０２の認証に失敗した場合、受信拒否を示す受信制御情報を生成し、制御部２３２は、当該受信制御情報に基づき、リモコン３００からの操作情報を受信できないように受信部２２０を制御してもよい。
【００８３】
以上のように、本実施例によれば、プロジェクタ１０２は、第１の実施例と同様の作用効果を奏し、盗難防止効果をより高めることができる。
【００８４】
また、本実施例によれば、ユーザーは、プロジェクタ１０２に複数の受信ユニット２０２の固有識別情報を登録することにより、１つのプロジェクタ１０２で複数の受信ユニット２０２を使用することができる。
【００８５】
具体的には、例えば、学校で使用する場合、教師がそれぞれの受信ユニット２０２を持ち、使用する場合に自分の受信ユニット２０２を１台のプロジェクタ１０２に挿入して使用することができる。
【００８６】
（その他の実施例）
なお、本発明の適用は上述した実施例に限定されず、種々の変形が可能である。
【００８７】
例えば、受信ユニット２００、２０２にユーザーごとの環境設定データを記憶しておき、認証成功時にプロジェクタ１００、１０２に当該環境設定データを出力して環境設定データに応じた設定でプロジェクタ１００、１０２を動作させてもよい。
【００８８】
また、例えば、プロジェクタ１００、１０２が音声出力部を有する場合、認証に失敗した際に音声出力部が警告音を出力してもよい。また、例えば、プロジェクタ１００、１０２が警告表示用のＬＥＤを有する場合、プロジェクタ１００、１０２は、認証に失敗した際に当該ＬＥＤを発光してもよい。
【００８９】
これらによれば、ユーザーは認証に失敗したことを把握することができる。
【００９０】
また、上述したパスワードの入力、登録等は、ＰＣを用いてもよい。
【００９１】
また、上述した実施例では、受信ユニット２００を取り出した場合にプロジェクタ１００、１０２の起動を終了したが、例えば、受信ユニット２００、２０２からのプロジェクタ１００、１０２の起動を停止するための制御情報をプロジェクタ１００、１０２に入力することにより、プロジェクタ１００、１０２の起動を終了してもよい。
【００９２】
また、プロジェクタ１００、１０２は、液晶プロジェクタには限定されず、例えば、米国テキサス・インスツルメンツ社が開発したＤＭＤ(Digital Micromirror Device)を用いたプロジェクタ、ＣＲＴプロジェクタ、有機ＥＬを用いたプロジェクタ等であってもよい。
【図面の簡単な説明】
【００９３】
【図１】本実施例におけるプロジェクタの外観図である。
【図２】本実施例におけるプロジェクタの機能ブロック図である。
【図３】本実施例における受信ユニットへの識別データの登録および削除の手順を示すフローチャートである。
【図４】本実施例における登録時の設定画像の一例を示す図である。
【図５】本実施例における削除時の設定画像の一例を示す図である。
【図６】本実施例におけるプロジェクタ本体における処理の流れを示すフローチャートである。
【図７】本実施例における受信ユニットにおける処理の流れを示すフローチャートである。
【図８】本実施例における他のプロジェクタの機能ブロック図である。
【符号の説明】
【００９４】
１００、１０２  プロジェクタ（プロジェクタ本体）、１１０  電源、１２０  起動制御部、１３０、１３２  検出部、１４０、１４１、２５０、２５１  記憶部、１４２、２５３  固有識別データ、１４３、２５２  識別データ、１４４、２５４  パスワードデータ、２００、２０２  受信ユニット、２１０、２１２  入力部、２２０  受信部、２３０、２３２  制御部、１７０、２４０  判定部、３００  リモコン（リモートコントローラ）
【図１】
2008064876.tif 000003
【図２】
2008064876.tif 000004
【図３】
2008064876.tif 000005
【図４】
2008064876.tif 000006
【図５】
2008064876.tif 000007
【図６】
2008064876.tif 000008
【図７】
2008064876.tif 000009
【図８】
2008064876.tif 000010